(57)【要約】【課題】  屋内外の空間の連続性を強調することができる建物を提供する。【解決手段】建物１は、勾配を有する屋内の天井面６１と、前記天井面６１と略面一に形成された屋外の軒裏面８３と、前記天井面６１及び前記軒裏面８３の境界の天井裏に水平に架設される梁５と、前記梁５の下に設けられ、屋内外の境界を形成する開口部４と、を備え、前記梁５の下面が前記天井面６１及び前記軒裏面８３の前記屋内外の境界側の縁よりも高い。【選択図】図１
2020197069.tif 000002
【特許請求の範囲】
【請求項１】
勾配を有する屋内の天井面と、
前記天井面と面一に形成された屋外の軒裏面と、
前記天井面及び前記軒裏面の境界の天井裏に水平に架設される梁と、
前記梁の下に設けられ、屋内外の境界を形成する開口部と、
を備え、
前記梁の下面が前記天井面及び前記軒裏面の前記屋内外の境界側の縁よりも高いこと、
を特徴とする建物。
【請求項２】
前記天井面の上方に形成される屋根面と、前記軒裏面の上方に形成される軒屋根面とが、連続する面一な勾配屋根面であること、
を特徴とする請求項１に記載の建物。
【請求項３】
前記開口部は、サッシ枠の内側に透明窓を支持して形成されるものであり、
前記サッシ枠は、上枠が下地を介して前記梁に固定されるとともに、下枠の上面が屋内の床レベルと面一であること、
を特徴とする請求項１又は請求項２に記載の建物。
【請求項４】
前記軒裏面は、第一の防火認定材に天井化粧材が貼り付けられて形成されること、
を特徴とする請求項１から請求項３のいずれかに記載の建物。
【請求項５】
前記天井面は、第二の防火認定材に天井化粧材が貼り付けられて形成されること、
を特徴とする請求項４に記載の建物。
【請求項６】
前記天井面の天井化粧材及び前記軒裏面の天井化粧材は、同一種類の天井化粧材であること、
を特徴とする請求項５に記載の建物。
【請求項７】
前記開口部から軒先側に距離を開けて複数の独立柱が形成され、当該独立柱の柱頭に軒側梁が架設されており、前記梁と当該軒側梁との間に勾配梁が架設されるとともに、前記軒側梁の水下側に前記軒裏面と同一の勾配であり、且つ、前記軒裏面の前記軒側梁側の端縁よりも高い位置から傾斜する端部軒裏面が形成されること、
を特徴とする請求項１から請求項６のいずれかに記載の建物。
【請求項８】
前記天井面の下方に形成される屋内空間に面する屋内壁面と、前記軒裏面の下方に形成される屋外空間に面し、且つ、前記屋内壁面に面一に連続して形成される外壁面と、が、形成されること、
を特徴とする請求項１から請求項７のいずれかに記載の建物。
【発明の詳細な説明】
【技術分野】
【０００１】
本発明は、居住性又は非居住性の建物に関し、屋内外に出入り可能な開口部を挟んで、屋内側と屋外側との連続性を強調した建物に関する。
【背景技術】
【０００２】
従来より、例えば住宅などの建物において、居室空間と、掃き出し窓によって居室空間と区切られた半屋外空間とを備えており、居室空間と半屋外空間とが行き来可能であり、居室空間の天井面と半屋外空間の軒裏面とを略面一とした建物が提案されている。この建物は、居室空間と半屋外空間との連続性が強調されるので、居室空間を屋内に居ながら屋外を感じることができる居心地のよい空間とすることができるものである（特許文献１参照）。
【０００３】
また、上述のような居室空間と半屋外空間との連続性を強調した建物としては、天井面及び軒裏面が勾配を有する勾配天井部である構成も提案されている（特許文献２参照）。この構成によると、勾配天井部の居室空間と半屋外空間とを区切る壁部は勾配天井部と交差しており、壁部と勾配天井部との交差部分を視認可能とするために、当該壁部が透明なガラス製の視認可能部となっている。また、壁部の下には掃き出し窓が設けられている。そして、壁部の視認可能部によって勾配天井の屋内外の境界となる部分が、視認可能となることで勾配天井部の連続性が強調されてることとなり、居室空間と半屋外空間の連続性をより強く感じることができる。
【先行技術文献】
【特許文献】
【０００４】
【特許文献１】特開２０１２−１８９１号公報
【特許文献２】特開２０１６−１１３８７９号公報
【発明の概要】
【発明が解決しようとする課題】
【０００５】
しかし、特許文献２の建物には勾配天井部を支持する梁などの構造が全く記載されておらず、ガラス製の壁部の下側に掃き出し窓が形成されているので、掃き出し窓の上枠が躯体に支持されておらず、どのように支持されているか不明であるので、勾配天井部の屋内外の境界を視認可能とする構成は現実的ではない。また、掃き出し窓がの上枠が勾配天井部から下方に離れた位置に設けられることとなるので、下から見上げたときに掃き出し窓の上枠によって、屋内外の境界を認識されることとなり、屋内外を連続的に認識することを阻害される。
【０００６】
そこで、本発明は、屋内外の空間の連続性を強調することができる建物を提供することを目的とする。
【課題を解決するための手段】
【０００７】
本発明の建物は、勾配を有する屋内の天井面と、前記天井面と略面一に形成された屋外の軒裏面と、前記天井面及び前記軒裏面の境界の天井裏に水平に架設される梁と、前記梁の下に設けられ、屋内外の境界を形成する開口部と、を備え、前記梁の下面が前記天井面及び前記軒裏面の前記屋内外の境界側の縁よりも高いことを特徴としている。
【０００８】
本発明の建物は、前記天井面の上方に形成される屋根面と、前記軒裏面の上方に形成される屋根面とが、連続する面一な勾配屋根面であることを特徴としている。
【０００９】
本発明の建物は、前記開口部は、サッシ枠の内側に透明窓を支持して形成されるものであり、前記サッシ枠は、上枠が下地を介して前記梁に固定されるとともに、下枠の上面が屋内の床レベルと面一であることを特徴としている。
【００１０】
本発明の建物は、前記軒裏面は、第一の防火認定材に前記天井化粧材が貼り付けられて形成されることを特徴としている。
【００１１】
本発明の建物は、前記天井面は、第二の防火認定材に前記天井化粧材が貼り付けられて形成されることを特徴としている。
【００１２】
本発明の建物は、前記天井面の天井化粧材及び前記軒裏面の天井化粧材は、同一種類の天井化粧材であること、を特徴としている。
【００１３】
本発明の建物は、前記開口部から軒先側に距離を開けて複数の独立柱が形成され、当該独立柱の柱頭に軒側梁が架設されており、前記梁と当該軒側梁との間に勾配梁が架設されるとともに、前記軒側梁の水下側に前記軒裏面と同一の勾配であり、且つ、前記軒裏面の前記軒側梁側の端縁よりも高い位置から傾斜する端部軒裏面が形成されることを特徴としている。
【００１４】
本発明の建物は、前記天井面の下方に形成される屋内空間に面する屋内壁面と、前記軒裏面の下方に形成される屋外空間に面し、且つ、前記屋内壁面に面一に連続して形成される外壁面と、が、形成されることを特徴としている。
【発明の効果】
【００１５】
本発明の建物によると、勾配を有する屋内の天井面と、屋外の軒裏面と、が略面一であり、天井面と軒裏面とが連続した勾配天井であると認識されやすい。また、梁の下面が天井面及び軒裏面の屋内外の境界側の縁よりも高くなっていることで、開口部の上部に梁の下端部が垂れ下がることがないので開口部の上部に小壁を設ける必要がない。また、梁に支持される開口部の上枠も天井面に近い位置に設けられることとなる。したがって、下方から見上げたときに屋内外の境界を認識し難くなり、屋内外を一体化した空間として認識しやすくなる。なお、ここで「面一」は、完全な面一でなくとも、天井面の下の屋内空間に立った人が天井面及び軒裏面を見上げた場合に面一であると認識される程度に、天井面と軒裏面とに面外方向のずれが無い状態をいう。例えば天井面よりも軒裏面が５０ｍｍ程度上方にずれていたとしても、天井全体の長さから見れば僅かなずれであり、屋内空間に立った人が天井面及び軒裏面を面一であると認識することとなる。
【００１６】
本発明の建物によると、天井面の上方に形成される屋根面と、軒裏面の上方に形成される屋根面とが、連続する面一な勾配屋根面であるので、屋外側から見た場合に勾配屋根の上面である屋根面と、勾配屋根の下面である勾配天井面とが連続した形状に見えるので、屋内外が一連の繋がった空間として認識されやすい。
【００１７】
本発明の建物によると、開口部は、サッシ枠の内側に透明窓を支持して形成されるものであり、サッシ枠は、上枠が下地を介して梁に固定されるとともに、下枠の上面が屋内の床レベルと面一であるので、開口部は天井面から床面までに亘って開口されることとなり、屋内外の連続性をより強調することができる。
【００１８】
本発明の建物によると、軒裏面は、下地となる第一の防火認定材が設けられているので、第一の防火認定材によって軒裏面としての耐火性能を確保することができ、天井化粧材自体に耐火性能が必要なくなるので、軒裏面の天井化粧材を自由に選択することができる。
【００１９】
本発明の建物によると、天井面は、下地となる第二の防火認定材が設けられているので天井化粧材に耐火性能が十分では無い場合でも天井面としての耐火性能を確保することができる。
【００２０】
本発明の建物によると、天井面及び軒裏面は、同一種類の天井化粧材で形成されるが、前述の通り天井化粧材の裏に防火認定材が設けられているので、同一種類の天井化粧材を意匠性のみを考慮して選択することができる。そして、屋内の天井面と屋外の軒裏面とが同じ天井化粧材で形成されることにより、天井面及び軒裏面がより一体的に認識されることとなりるとともに、屋内外の連続性をより強く認識させることができる。
【００２１】
本発明の建物によると、端部軒裏面が軒裏面の軒側梁側の端縁よりも高い位置から傾斜するように形成されているので、軒側梁の位置で軒裏面の面外方向の上側にずれた位置に端部軒裏面が形成されることとなり、軒の出が長い場合であっても軒先の高さが低くなりすぎることを抑制することができ、屋内側から見て軒裏面が前方を覆った重たい印象となることを防ぐことができる。また、屋外側から見た軒の厚さを薄くして建物の外観の印象をシャープにすることができる。
【００２２】
本発明の建物によると、屋内壁面及び外壁面が面一に連続しているので、屋内外の連続性をより強く強調することができる。
【図面の簡単な説明】
【００２３】
【図１】本発明の建物の外観構成を説明する斜視図。
【図２】本発明の建物の外観構成を説明する側面図。
【図３】本発明の建物の間取り構成を説明する断面図。
【図４】本発明の建物の下屋構造の構成を説明する断面図。
【図５】本発明の建物の屋内空間から当該屋内空間及び屋外空間を見た状態を説明する斜視図。
【図６】図４の開口部部分拡大断面図。
【図７】図５の上部部分拡大断面図。
【図８】図４の屋外空間の上部部分拡大断面図。
【発明を実施するための形態】
【００２４】
以下、本発明の建物１の実施形態について、各図を参照しつつ説明する。本実施形態における建物１は、例えば講堂などのように多数の人が集まる非居住性の建物である。建物１は、図１及び図２に示すように、切り妻の大屋根２２を有する二階建ての母屋構造２と、母屋構造２の妻側の一方の外壁２１から突出する片流れの下屋根３１の有する下屋構造３と、を備えている。母屋構造２は、図３に示すように、桁方向の中央に上部が吹き抜けとなる柱のない大空間２３が設けられ、その両側に階段室２４、及び、大空間２３を見下ろす２階ホール２５が形成されている。母屋構造２には、軒側の一方の外壁面からフラットルーフ２６が突出しており、フラットルーフ２６の下側に小部屋２７及び庭テラス２８が隣接して形成されている。また、下屋構造３は建物１に出入りするエントランス空間３２が形成されている。下屋構造３にはさらにトイレ３３や受付用カウンタ３４が設けられている。
【００２５】
なお、建物１は非居住性の建物に限定されるものではなく、戸建住宅や集合住宅であっても良い。また、下屋構造３はエントランス空間３２として好適な構造であるが、エントランス以外の用途に利用される空間であっても良い。
【００２６】
下屋構造３のエントランス空間３２は、図３から図５に示すように、建物１の出入口となる開口部４を挟んで屋内空間６と屋外空間８とが形成されている。屋内空間６の上方には開口部４に向かって下り勾配の屋内の天井面６１が形成されている。天井面６１は木製で勾配方向に細長い板状の天井化粧材７によって形成されている。天井面６１の上に形成されている下屋根３１は、図４及び図７に示すように、水上側の母屋構造２の外壁２１に形成された胴差２９と、開口部４の上に形成された梁５との間に架設される屋内勾配梁６２と、屋内勾配梁６２の間に架設される横架材である母屋材６３と、梁５及び母屋材６３の上に架設されて屋内空間６の上方から屋外空間８上方に向かって延びる垂木６４と、垂木６４の上に敷設される野地板６５と、野地板６５の上に図示しないルーフィング材などを介して配置される屋根材６６と、を有している。また、母屋材６３には天井吊木６７を介して野縁６８が固定されており、この野縁６８に第二の防火認定材６９としての石膏ボードが貼り付けられ、第二の防火認定材６９を下地として胴縁７１を介して天井化粧材７が釘固定されている。このように天井化粧材７の下地に耐火性を有する第二の防火認定材６９を用いているので、天井化粧材７自体には耐火性が必要なくなり、天井化粧材７をより自由に選択することができる。
【００２７】
また、屋内空間６の開口部４と対向する面には間仕切壁７２が形成されている。そして屋内空間６の開口部４と直交する一方の側面は屋内外を隔てる外壁７３であり、他方の側面は受付用カウンタ３４の一部をエントランス空間３２と隔てるように形成された屋内壁面７４である。屋内壁面７４は焼杉板の壁化粧材７５が敷設されている。
【００２８】
天井面６１の開口部４と対向する間仕切壁７２側の端縁には溝７６が形成されており、間仕切壁７２の表面を照らすコーニス照明７７が設けられている。屋内空間６の床面７８は土間床となっており、受付用カウンタ３４の横の通路を通って小部屋２７との境界に上がり框７９が設けられている。床面７８は土間コンクリート８０上に立設された床束８１に支持される床組み８２の上に敷設されており、例えば床下地板の上に土間用のフロアタイルが貼り付けられ形成されている。なお、床束８１や床組み８２を設けずに打設したコンクリート上にフロアタイルを貼り付ける構成であってもよい。
【００２９】
屋外空間８の上方には屋内空間６の天井面６１と面一に形成された屋外の軒裏面８３が形成されている。軒裏面８３は天井面６１と同一種類の木製で勾配方向に細長い板状の天井化粧材７によって形成されている。なお、ここで「天井面と軒裏面の天井化粧材７が同一種類」とは、天井化粧材７の材質及びパーツの形状及び大きさが略同一であることをいい、屋内空間６から天井面６１及び軒裏面８３を見たときに同じ材質であり、形状や大きさがほとんど同じであることが認識される程度に形状及び大きさが同じであることをいう。なお、天井面６１及び軒裏面８３のそれぞれの天井化粧材７は同一種類のものに限定されるものではなく、異なる種類の天井化粧材であってもよい。また、ここで、「天井面及び軒裏面が面一」とは、完全な面一に限定されるものではなく、屋内空間６に立った人が天井面６１及び軒裏面８３を見上げた場合に面一であると認識される程度に面一であればよい。本実施形態においては、天井面６１の開口部４側の縁と、軒裏面８３の開口部４側の縁とは水平方向に１８０ｍｍ程度離れている。また、本実施形態においては、軒裏面８３は天井面６１に対して面外方向の斜め上向きに約４２ｍｍずれて配置されている。屋内空間６から見た場合に、天井面６１の縁と軒裏面８３の縁とが離れているので天井面６１と軒裏面８３との僅かなズレは認識することができない。なお、天井面６１と軒裏面８３との面外方向のずれは例えば５０ｍｍ以下であることが好ましい。
【００３０】
このように、勾配を有する屋内の天井面６１と、屋外の軒裏面８３と、が面一であることで、屋内空間６にいる人に天井面６１と軒裏面８３とが連続した勾配天井であると認識させることができ、特に、屋内の天井面６１と屋外の軒裏面８３とが、同一種類の天井化粧材７であれば、より屋内外の連続性を強調することができる。
【００３１】
天井面６１及び軒裏面８３の境界には、天井裏に水平に架設される梁５が設けられている。梁５は開口部４の両側の外壁７３内に立設されている壁内柱４１及び開口部４の中央に立設されている中央柱４２の柱頭にそれぞれの端部が固定されて架設されて、壁内柱４１と中央柱４２の間に架設されている。梁５は、図７に示すように、その下面が天井面６１及び軒裏面８３の屋内外の境界の縁よりも高い位置に配置される。このように、梁５の下面が天井面６１及び軒裏面８３の屋内外の境界側の縁よりも高くなっていることで、開口部４の上部に梁５の下端部が垂れ下がることがないので開口部４の上部に小壁を設ける必要がなくなり、梁５に支持されるサッシ枠４３の上枠４５も天井面６１に近い位置に設けられることとなる。したがって、下方から見上げたときに屋内外の境界を認識し難くなり、屋内外をより一体化した空間として認識しやすくなる。
【００３２】
開口部４は、サッシ枠４３と、当該サッシ枠４３の内面にスライド可能に形成された透明窓４４と、を備える。サッシ枠４３は、下向きのレールが設けられてた上枠４５と、上向きのレールが設けられた下枠４６と、上枠４５及び下枠４６を繋ぐ一対の側枠４７からなる矩形枠である。上枠４５は梁５の下面に固定された下地５１を介して梁５に固定されている。また、下枠４６はその上面が屋内空間６の床面７８の床レベルと面一に形成されている。なお、完全に面一に限定されるものではなく、屋内空間６の床面７８の床レベルよりも例えば２０〜３０ｍｍ程度低く形成されていても良い。開口部４は透明窓４４が形成されたサッシ枠４３によって天井面６１から床面７８までのほとんど全域が透光性を有するので、広く屋外光を受け入れることができるとともに、屋内外の境界を認識しづらくして、屋内外の連続性を強調することができる。
【００３３】
サッシ枠４３は開口部４の中央柱４２を挟んで両側にそれぞれ設けられている。透明窓４４は、サッシ枠４３の内側に、それぞれ２つ配置されて互いに面内方向にスライド可能な引き違い透明窓４４である。透明窓４４は外枠４８とその内側に設けられる窓ガラス４９とを有する。サッシ枠４３は上枠４５及び下枠４６のレールがそれぞれアルミニウムで形成されており、サッシ枠４３の上枠４５のレール以外の部分及び側枠４７は天井面６１の天井化粧材７と同系色の木製である。なおここで「同系色」とは、例えばサッシ枠４３及び天井化粧材７がそれぞれ無垢材であるか、または、同じ色に着色されていることをいう。このように天井面６１及び軒裏面８３の天井化粧材７とサッシ枠４３の上枠４５及び側枠４７とが同系色の木製であることで、開口部４が屋内外の境界として認識されにくくなり、屋内外の連続性をより強調することができる。なお、サッシ枠４３の上枠４５のレール以外の部分及び側枠４７は天井面６１の天井化粧材７と同系色の木製に限定されるものではなく、異なる色や異なる材質のものであってもよい。
【００３４】
屋外空間８は、開口部４と直交する一方の側面及び開口部４に対向する面が外側に開放されている。また、開口部４と直交する他方の側面には屋内空間６の屋内壁面７４に面一に連続して形成される外壁面８４が設けられている。外壁面８４は焼杉板の壁化粧材７５が敷設されている。なお、下屋構造３の屋外側の壁面は、屋外空間８に面した外壁面８４以外の壁面も焼杉板の壁化粧材７５で形成されている。
【００３５】
屋外空間８には開口部４から軒先側に２０００ｍｍの距離を開けて２本の独立柱８５が設けられており、下屋根３１を支えている。一方の独立柱８５は軒先側から見て開口部４の中央に設けられた中央柱４２に重なる位置に立設されており、他方の独立柱８５は軒先側から見て屋内空間６の開口部４と直交する一方の側面に形成された外壁７３と重なる位置に立設されている。独立柱８５の周囲には柱化粧カバー８６が固定されている。屋外空間８の下面にはポーチテラス８７が形成されている。ポーチテラス８７は上面の高さが屋内空間６の床面７８の高さと略同一に形成されていることが好ましい。ポーチテラス８７はコンクリートを打設し、その上面に床化粧材を貼り付けて形成している。
【００３６】
軒裏面８３の上には、独立柱８５に支えられるようにして、図４、図７、及び図８に示すように、屋内空間６の上方から延びる下屋根３１が屋外空間８の上方にまで突出して形成されている。屋外空間８の上方の下屋根３１には、２本の独立柱８５の柱頭間、及び独立柱８５と外壁面８４が形成された壁体内に形成される外壁柱８８との柱頭間には軒側梁８９が架設されている。そして、開口部４の上に形成された梁５と、軒側梁８９との間に屋外勾配梁９０が架設される。また、屋内勾配梁６２の間には横架材である母屋材６３が架設され、母屋材６３の上に架設される垂木６４と、垂木６４の上に敷設される野地板６５と、野地板６５の上に図示しないルーフィング材などを介して配置される屋根材６６と、が屋内空間６の上方の下屋根３１から延びている。屋外空間８の上の母屋材６３には天井吊木６７を介して野縁６８が固定されており、この野縁６８に第一の防火認定材９１としての窯業系サイディング材が貼り付けられ、第一の防火認定材９１を下地として胴縁７１を介して天井化粧材７が釘固定されている。これによって、天井化粧材７自体が耐火性を有する必要がなくなるので、屋内の天井面６１を形成する天井化粧材７と屋外の軒裏面８３を構成する天井化粧材７とを同一種類の天井化粧材７として使用することが容易となる。
【００３７】
そして、軒側梁８９の水下側には、軒裏面８３と同一の勾配であり、且つ、軒裏面８３の軒側梁８９側の端縁よりも高い位置から傾斜する端部軒裏面９２が形成されている。軒裏面８３と端部軒裏面９２の間の面外方向の距離は例えば２２５ｍｍである。端部軒裏面９２の上側には垂木６４、野地板６５、及び屋根材６６が延出されており、垂木６４に固定された野縁６８に天井化粧材７が釘固定されている。このように、下屋根３１は、屋内空間６の上方から軒先に至るまで屋根面が連続する面一な屋根面が形成されており、屋外側から見た場合にも、屋内外が一連の繋がった空間として認識されやすい。なお、ここで「面一な屋根面」とは、野地板６５が面一であればよく、屋根材自体の凹凸や屋根材の重なりによって生じる凹凸は有しているが、屋根材が整然と敷設されており、全体として連続した屋根面と認識される面をいう。
【００３８】
下屋根３１の軒先には、鼻隠し材９３が設けられ、軒樋９４が配設されている。端部軒裏面９２が軒裏面８３よりも面外方向に高い位置に設けられることによって、下屋根３１の軒先の厚さを短くすることができており、軒側梁８９の位置で軒裏面８３の面外方向の上側にずれた位置に端部軒裏面９２が形成されることとなり、軒の出が長い場合であっても軒先の高さが低くなりすぎることを抑制することができ、屋内側から見て軒裏面８３が前方を覆った重たい印象となることを防ぐことができる。また、屋外側から見た軒の厚さを薄くして建物１の外観の印象をシャープにすることができる。
【００３９】
本発明の実施の形態は上述の形態に限ることなく、本発明の思想の範囲を逸脱しない範囲で適宜変更することができることは云うまでもない。
【産業上の利用可能性】
【００４０】
本発明に係る建物１は、例えばエントランス部分に屋内外が連続した勾配天井を有する建物１として好適である。
【符号の説明】
【００４１】
１      建物
４      開口部
５      梁
６      屋内空間
７      天井化粧材
８      屋外空間
４３    サッシ枠
６１    天井面
６９    第二の防火認定材
７４    屋内壁面
７５    壁化粧材
８３    軒裏面
８４    外壁面
８５    独立柱
８９    軒側梁
９１    第一の防火認定材
９２    端部軒裏面
【図１】
2020197069.tif 000003
【図２】
2020197069.tif 000004
【図３】
2020197069.tif 000005
【図４】
2020197069.tif 000006
【図５】
2020197069.tif 000007
【図６】
2020197069.tif 000008
【図７】
2020197069.tif 000009
【図８】
2020197069.tif 000010